(57)【要約】【課題】本発明は、省電力化を図るとともに、利便性を向上する携帯端末装置を提供する。【解決手段】画像を表示する表示部２１と、ユーザによる操作を受け付ける操作部２２と、複数のアプリケーションを記憶する記憶部２７とを備え、所定のアプリケーションに対して動作を継続した状態で表示部２１をオフ状態にする第１アクティブ省電力モードを設け、所定の移行操作により第１アクティブ省電力モードに移行する。【選択図】図１
2014075722.tif 000002
【特許請求の範囲】
【請求項１】
画像を表示する表示部と、ユーザによる操作を受け付ける操作部と、複数のアプリケーションを記憶する記憶部とを備え、所定のアプリケーションに対して動作を継続した状態で前記表示部をオフ状態にする第１アクティブ省電力モードを設け、所定の移行操作により第１アクティブ省電力モードに移行することを特徴とする携帯端末装置。
【請求項２】
ヘッドホンを接続する接続部を備え、音声を再生するアプリケーションに対して第１アクティブ省電力モードを設けるとともに、前記移行操作がヘッドホンの接続状態で音声の再生を指示する操作であることを特徴とする請求項１に記載の携帯端末装置。
【請求項３】
音声を再生するアプリケーションに対して、前記操作部の操作が所定時間行われないときに前記表示部の輝度を低下させるとともに更に所定時間が経過した時にアプケーションの動作を継続した状態で前記表示部をオフ状態にする第２アクティブ省電力モードを設け、ヘッドホンの非接続状態で音声の再生を指示する操作が行われた際に第２アクティブ省電力モードに移行することを特徴とする請求項２に記載の携帯端末装置。
【請求項４】
通話を行うアプリケーションに対して第１アクティブ省電力モードを設けるとともに、前記移行操作が着信時の通話の開始又は発信を指示する操作であることを特徴とする請求項１に記載の携帯端末装置。
【請求項５】
各アプリケーションに対し、前記操作部の操作が所定時間行われないときに前記表示部の輝度を低下させるとともに更に所定時間が経過した時に動作を停止した状態で前記表示部をオフ状態にするスリープ省電力モードを設けたことを特徴とする請求項１〜請求項４のいずれかに記載の携帯端末装置。
【発明の詳細な説明】
【技術分野】
【０００１】
本発明は表示部を備えた携帯端末装置に関する。
【背景技術】
【０００２】
特許文献１及び２には従来の携帯端末装置が開示される。携帯端末装置は表示部、記憶部及び照度センサを有する。表示部は画像を表示し、記憶部は所定のアプリケーションを保存する。照度センサは携帯端末装置の周囲の照度を検知する。
【０００３】
上記構成の携帯端末装置において、周囲の照度が所定照度以下になると、携帯端末装置は省電力モードになる。この時、表示部をオフ状態にするとともに、起動中のアプリケーションの動作を停止させて携帯端末装置の省電力化を図っている。
【先行技術文献】
【特許文献】
【０００４】
【特許文献１】特開２０１１−１８８３９７号公報
【特許文献２】特開２０１１−８７０５８号公報
【発明の概要】
【発明が解決しようとする課題】
【０００５】
しかしながら、上記従来の携帯端末装置によれば、所定照度以下の場合には携帯端末装置の利用が困難になり、携帯端末装置の利便性が低下するという問題があった。
【０００６】
本発明は、省電力化を図るとともに利便性を向上する携帯端末装置を提供することを目的とする。
【課題を解決するための手段】
【０００７】
上記目的を達成するため、本発明の携帯端末装置は、画像を表示する表示部と、ユーザによる操作を受け付ける操作部と、複数のアプリケーションを記憶する記憶部とを備え、所定のアプリケーションに対して動作を継続した状態で前記表示部をオフ状態にする第１アクティブ省電力モードを設け、所定の移行操作により第１アクティブ省電力モードに移行することを特徴とする。
【０００８】
また本発明は、上記構成の携帯端末装置において、ヘッドホンを接続する接続部を備え、音声を再生するアプリケーションに対して第１アクティブ省電力モードを設けるとともに、前記移行操作がヘッドホンの接続状態で音声の再生を指示する操作であることを特徴とする。
【０００９】
また本発明は、上記構成の携帯端末装置において、音声を再生するアプリケーションに対して、前記操作部の操作が所定時間行われないときに前記表示部の輝度を低下させるとともに更に所定時間が経過した時にアプケーションの動作を継続した状態で前記表示部をオフ状態にする第２アクティブ省電力モードを設け、ヘッドホンの非接続状態で音声の再生を指示する操作が行われた際に第２アクティブ省電力モードに移行することを特徴とする。
【００１０】
また本発明は、上記構成の携帯端末装置において、通話を行うアプリケーションに対して第１アクティブ省電力モードを設けるとともに、前記移行操作が着信時の通話の開始又は発信を指示する操作であることを特徴とする。
【００１１】
また本発明は、上記構成の携帯端末装置において、各アプリケーションに対し、前記操作部の操作が所定時間行われないときに前記表示部の輝度を低下させるとともに更に所定時間が経過した時に動作を停止した状態で前記表示部をオフ状態にするスリープ省電力モードを設けたことを特徴とする。
【発明の効果】
【００１２】
本発明によると、所定のアプリケーションに対して動作を継続した状態で表示部をオフ状態にする第１アクティブ省電力モードを設け、所定の移行操作により第１アクティブ省電力モードに移行するので、アプリケーションの利用を継続しながら省電力化を図って利便性を向上できる。
【図面の簡単な説明】
【００１３】
【図１】本発明の実施形態の携帯端末装置の正面図
【図２】本発明の実施形態の携帯端末装置の情報端末装置の機能ブロック図
【図３】本発明の実施形態の携帯端末装置の動作を示すフローチャート
【図４】本発明の実施形態の携帯端末装置の動作を示すフローチャート
【図５】本発明の実施形態の携帯端末装置の動作を示すフローチャート
【発明を実施するための形態】
【００１４】
以下に本発明の実施形態について図面を参照して説明する。図１は一実施形態の携帯端末装置１を示している。携帯端末装置１は平面視略矩形に形成され、前面１ａには表示部２１、操作部２２、スピーカ２３及びマイク３１が設けられ、側面にはヘッドホン端子から成る端子部２９（図２参照）が設けられる。
【００１５】
表示部２１はバックライト（不図示）付きのＬＣＤ（液晶ディスプレイ）により形成される。表示部２１上には静電容量式のタッチパネルにより操作部２２が形成され、後述するアプリケーションに応じたボタンが表示される。スピーカ２３からは音声が出力され、マイク３１からはユーザの音声が入力される。
【００１６】
図２は情報端末装置１の機能ブロック図を示す。情報端末装置１はＣＰＵを有して各部を制御する制御部２０が設けられる。制御部２７には時間を測定するタイマ３０が備えられる。また、制御部２７には表示部２１、操作部２２、スピーカ２３、ヘッドホン検出ドライバ２８を介して接続部、近距離通信ドライバ３２、遠距離通信ドライバ３４及び記憶部２７が接続される。
【００１７】
端子部２９にはヘッドホン（ステレオホン、イヤホン、ヘッドセット等）が接続される。近距離通信ドライバ３２は近距離通信部３２を駆動する。近距離通信部３２は電波や光等による無線通信を介してスピーカやヘッドホンが接続される。
【００１８】
従って、端子部２９及び近距離通信部３２はヘッドホンを接続する接続部を構成する。ヘッドホン検出ドライバ２８は端子部２９または近距離通信部３２を介してヘッドホンが接続された状態か否かを検出する。
【００１９】
遠距離通信ドライバ３４は遠距離通信部３５を駆動する。遠距離通信部３５は電話回線等を介してデータ通信や通話を行う。
【００２０】
記憶部２７はＲＡＭ及びＲＯＭから成り、制御部２０により演算するプログラムを一時的に記憶するとともに、音声ファイル等のデータ、オーディオアプリケーション及び通話アプリケーション等のプログラムを記憶する。
【００２１】
オーディオアプリケーションは再生ボタンを含む複数の操作ボタンから成る操作部２２を表示部２１上に形成し、記憶部２７に記憶される音声ファイルを再生する。通話アプリケーションは通話ボタンや複数の数字ボタンから成る操作部２２を表示部２１上に形成し、遠距離通信部３５による通話を行う。数字ボタンは通話先の電話番号を入力し、通話ボタンは着信時の通話の開始及び発信を指示する。
【００２２】
図３は携帯端末装置１の表示部２１の動作を示すフローチャートである。所定のアプリケーションが起動されると、同図のフローチャートが開始される。ステップＳ１ではフラグＦ１が初期化される。フラグＦ１は起動されたアプリケーションがオーディオアプリケーションの時には１が代入され、通話アプリケーションの時には２が代入される。その他のアプリケーションの時にはフラグＦ１＝０になっている。
【００２３】
ステップＳ２では起動されたアプリケーションがオーディオアプリケーションか否かが判断される。起動されたアプリケーションがオーディオアプリケーションではない場合はステップＳ４に移行する。起動されたアプリケーションがオーディオアプリケーションの場合はステップＳ３に移行し、フラグＦ１に１が代入される。
【００２４】
ステップＳ４では起動されたアプリケーションが通話アプリケーションか否かが判断される。起動されたアプリケーションが通話アプリケーションではない場合はステップＳ６に移行する。起動されたアプリケーションが通話アプリケーションの場合はステップＳ５に移行し、フラグＦ１に２が代入される。
【００２５】
ステップＳ６ではタイマ３０がリセットされ、計時が開始される。ステップＳ７では操作部２２からの操作が行われたか否かが判断される。操作が行われた場合にはステップＳ１５へ移行し、操作が行われない場合にはステップＳ８へ移行する。
【００２６】
ステップＳ８では所定時間が経過したか否かが判断される。所定時間が経過していない場合はステップＳ７に戻り、ステップＳ７、Ｓ８が繰り返される。所定時間が経過するとステップＳ９に移行し、表示部２１のバックライトの輝度が所定量下げられる。
【００２７】
ステップＳ１０では表示部２１の輝度低下後に操作部２２の操作が行われたか否かが判断される。操作部２２の操作が行われていない場合はステップＳ１１に移行し、所定時間が経過したか否かが判断される。所定時間が経過していない場合はステップＳ１０に戻り、ステップＳ１０、Ｓ１１が繰り返される。
【００２８】
ステップＳ１０の判断で操作部２２の操作が行われた場合はステップＳ１２に移行する。ステップＳ１２ではステップＳ９で下げられた表示部２１の輝度が元の状態に上げられる。そして、ステップＳ１５に移行する。
【００２９】
ステップＳ１１の判断で所定時間が経過するとステップＳ１３に移行し、表示部２１をオフ状態にする。また、ステップＳ１４で制御部２０のＣＰＵをスリープ状態にする。これにより、いずれかの操作が行われるまで制御部２０によるアプリケーション等の制御が停止される。
【００３０】
ステップＳ１９の判断で操作部２２の操作が行われない場合は操作が行われるまで待機する。操作部２２の操作が行われた場合はステップＳ２０に移行する。ステップＳ２０ではステップＳ１３でオフ状態にされた表示部２１がオン状態になり表示部２１の輝度が元の状態になる。そして、ステップＳ６に移行して処理が繰り返される。
【００３１】
ステップＳ１５ではフラグＦ１の値が判断される。フラグＦ１が１の場合にはステップＳ１６へ移行し、フラグＦ１が２の場合にはステップＳ１７へ移行し、フラグＦ１が０の場合にはステップＳ６に戻る。
【００３２】
ステップＳ１６ではオーディオ処理が実行される。図４はオーディオ処理のフローチャートを示す。ステップＳ３０ではステップＳ７、ステップＳ１０で判断した操作が再生ボタン（不図示）の操作か否かが判断される。再生ボタンの操作の場合にはステップＳ３２へ移行し、再生ボタンの操作ではない場合にはステップＳ４３へ移行する。
【００３３】
ステップＳ４３ではフラグＦ２に０が代入され、図３のフローチャートに戻る。フラグＦ２は表示部２１がオンの状態の時に０が代入され、フラグＦ２は表示部２１がオフの状態の時に１が代入される。
【００３４】
ステップＳ３２ではスピーカ２３から再生されるか否かが判断される。スピーカ２３から音声が出力される場合にはステップＳ３３へ移行する。スピーカ２３からの出力ではなくヘッドホン（不図示）が接続状態で、ヘッドホンから音声が出力される場合にはステップＳ４０へ移行する。
【００３５】
ステップＳ３３ではタイマ３０がリセットされ、計時が開始される。ステップＳ３４では操作部２２からの操作が行われたか否かが判断される。操作が行われた場合にはステップＳ４２へ移行し、操作が行われない場合にはステップＳ３５へ移行する。
【００３６】
ステップＳ３５では所定時間が経過したか否かが判断される。所定時間が経過していない場合はステップＳ３４に戻り、ステップＳ３４、Ｓ３５が繰り返される。所定時間が経過するとステップＳ３６に移行し、表示部２１のバックライトの輝度が所定量下げられる。
【００３７】
ステップＳ３７では表示部２１の輝度低下後に操作部２２の操作が行われたか否かが判断される。操作部２２の操作が行われていない場合はステップＳ３８に移行し、所定時間が経過したか否かが判断される。所定時間が経過していない場合はステップＳ３７に戻り、ステップＳ３７、Ｓ３８が繰り返される。
【００３８】
ステップＳ３７の判断で操作部２２の操作が行われた場合はステップＳ３９に移行する。ステップＳ３９ではステップＳ３６で下げられた表示部２１の輝度が元の状態に上げられる。そして、ステップＳ４２に移行する。
【００３９】
ステップＳ３８の判断で所定時間が経過するとステップＳ４０に移行し、表示部２１をオフ状態にする。この時、制御部２０のＣＰＵはオーディオアプリケーションに対して動作を継続した状態のアクティブ状態になっている。ステップＳ４１ではフラグＦ２に１を代入にして、図３に示すフローチャートに戻る。
【００４０】
図３のフローチャートのステップＳ１５においてフラグＦ１が２の場合にはステップＳ１７へ移行する。図５はステップＳ１７の通話処理の詳細を示している。
【００４１】
ステップＳ５１ではステップＳ７、ステップＳ１０で判断した操作が通話ボタン（不図示）の操作か否かが判断される。通話ボタンの操作の場合にはステップＳ５２へ移行し、通話ボタンの操作ではない場合にはステップＳ５３へ移行する。
【００４２】
ステップＳ５３ではフラグＦ２に０代入して図３のフローチャートに戻る。ステップＳ５２では表示部２１をオフ状態にする。この時、携帯端末装置１は通話アプリケーションの動作を継続した状態のＣＰＵアクティブ状態になっている。ステップＳ５４ではフラグＦ２に１を代入する。その後、図３に示すフローチャートに戻る。
【００４３】
ステップＳ１８ではフラグＦ２が１であるか否かが判断される。フラグＦ２が１の場合にはステップＳ１９へ移行し、フラグＦ２が１でない場合にはステップＳ６へ戻る。
【００４４】
本実施形態によると、所定のアプリケーションに対して動作を継続した状態で表示部２１をオフ状態にする第１アクティブ省電力モードを設け、所定の移行操作により第１アクティブ省電力モードに移行するため、ユーザのアプリケーションの利用を継続させながら省電力化を図るため、携帯端末装置１の利便性を向上できる。
【００４５】
また、ヘッドホンを接続する接続部を備え、音声を再生するアプリケーションに対して第１アクティブ省電力モードを設けるとともに、移行操作がヘッドホンの接続状態で音声の再生を指示する操作（ステップＳ３０）であるため、ヘッドホンが接続されるアプリケーションでは直ぐに第１アクティブ省電力モードに移行し、省電力化を図るとともに利便性を向上できる。
【００４６】
また、音声を再生するアプリケーションに対して、操作部２２の操作が所定時間行われないときに表示部２１の輝度を低下させる（ステップＳ３６）とともに更に所定時間が経過した時（ステップＳ３５）にアプケーションの動作を継続した状態で表示部２１をオフ状態にする（ステップＳ４０）第２アクティブ省電力モードを設け、ヘッドホンの非接続状態で音声の再生を指携帯端末装置示する操作が行われた際に第２アクティブ省電力モードに移行するため、表示部２１を確認する所定時間を設けた後に第２アクティブ省電力モードに移行して省電力化を図るとともに利便性を向上できる。
【００４７】
また、通話を行うアプリケーションに対して第１アクティブ省電力モードを設けるとともに、移行操作が着信時の通話の開始又は発信を指示する操作（ステップＳ５１）であるため、通話を行うアプリケーションに対しても省電力化を図るとともに利便性を向上できる。
【００４８】
また、各アプリケーションに対し、操作部２２の操作が所定時間行われないとき（ステップＳ８）に表示部２１の輝度を低下させる（ステップＳ９）とともに更に所定時間が経過した時（ステップＳ１１）に動作を停止した状態で表示部２１をオフ状態（ステップＳ１３）にするスリープ省電力モードを設けたため、様々なアプリケーションについても省電力化を図るとともに利便性を向上できる。
【産業上の利用可能性】
【００４９】
本発明によると、表示部を備えた携帯端末装置に利用することができる。
【符号の説明】
【００５０】
１      携帯端末装置
１ａ    前面
２０    制御部
２１    表示部
２２    操作部
２３    スピーカ
２６    通信部
２７    記憶部
２８    ヘッドホン検出ドライバ
２９    端子部
３０    タイマ
３１    マイク
３２    近距離通信ドライバ
３３    近距離通信部
３４    遠距離通信ドライバ
３５    遠距離通信部
【図１】
2014075722.tif 000003
【図２】
2014075722.tif 000004
【図３】
2014075722.tif 000005
【図４】
2014075722.tif 000006
【図５】
2014075722.tif 000007